(57)【特許請求の範囲】
【請求項１】
砂型鋳造の鋳型用仕事台であって、作動箱及び前記作動箱の中に設置された作動空間を含み、前記作動空間が左方に開口しており、前記作動箱の上端には下方に回転できる回転板がヒンジで連結され、前記回転板の中には左方に開口した第一空き空間が設置され、前記第一空き空間の中には台形引っ掛かりブロックがスライド可能に設置され、前記作動箱の中には前記第一空き空間と連通した引っ掛かり溝が形成され、前記台形引っ掛かりブロックは前記引っ掛かり溝の中に引っかかることができ、前記台形引っ掛かりブロックの右端面と前記第一空き空間の右内壁とが第一圧縮ばねにより連結され、前記作動空間の底壁には残った鋳物砂を集められる集め箱がスライド可能に設置され、前記集め箱の中には上方に開口した集め空間が設置され、前記作動空間の左側の上内壁には制御ブロックが固定的に設置され、前記作動箱の下側の左端面には前記作動空間の左側の開口を閉鎖できる閉鎖板がヒンジで連結され、前記閉鎖板の左端面にはハンドルが固定的に設置され、前記作動空間の底壁には前記回転板の回転を制御できる開け閉め装置が固定的に設置され、前記作動箱の左側の上端面には固定ブロックが固定的に設置され、前記固定ブロックの中には右方に開口した第二空き空間が設置され、前記第二空き空間の中には第一スライダがスライド可能に設置され、前記第一スライダが右方に前記固定ブロックの右側に伸びており、前記第一スライダの右端面にはスライダが固定的に設置され、前記スライダの中には右方に開口した第一スライド溝が形成され、前記第一スライド溝が前後対称となるように形成され、前記第一スライド溝の中には第一スライド板がスライド可能に設置され、前記第一スライド板の前端面には上砂箱を固定できる摩擦板が固定的に設置され、前記固定ブロックの頂部の右端面には穴あけ箱が固定的に設置され、前記穴あけ箱の中には下方に開口した穴あけ空間が設置され、前記穴あけ空間の中には第二スライド板がスライド可能に設置され、前記第二スライド板の上端面と前記穴あけ空間の上内壁とが第一引っ張りばねにより連結され、前記第二スライド板の下端面には砂型面に穴を開けられる穴あけロッドが固定的に設置され、前記穴あけロッドが十本設置され、十本の前記穴あけロッドが前記第二スライド板の対称中心を中心にして環状になることを特徴とする砂型鋳造の鋳型用仕事台。
【請求項２】
前記開け閉め装置は前記作動空間の底壁に固定的に連結された支持箱を含み、前記支持箱の中には上方に開口した支持空間が設置され、前記支持空間の中には支持板がスライド可能に設置され、前記支持板の下端面と前記支持空間の底壁とが第二引っ張りばねにより連結され、前記支持板が上方へ前記回転板の下端面と当接して前記回転板を止めるまでスライドでき、前記制御ブロックの中には左方に開口した位置制限空間が設置され、前記制御ブロックの中には前記位置制限空間の上側に位置する第二スライド溝が形成され、前記第二スライド溝が前記位置制限空間と連通しており、前記第二スライド溝の中には第一磁石がスライド可能に設置され、前記第一磁石の上端面と前記第二スライド溝の上内壁とが第三引っ張りばねにより連結され、前記第一磁石の上端面と前記支持板の左端面とが第一引き紐により連結され、前記閉鎖板の右端面には前記位置制限空間の中に引っかかれる第二磁石が固定的に設置され、前記第二磁石が前記位置制限空間の中に位置する時、前記第二磁石が前記第一磁石を下方にスライドするように吸引し、前記支持板が引き動かされて上方にスライドして前記回転板の下表面に当接することを特徴とする請求項１に記載の砂型鋳造の鋳型用仕事台。
【請求項３】
前記第一スライダの中には第一モーターが固定的に設置され、前記第一モーターの右端面には第一回転軸が回転可能に設置され、前記スライダの中には第三空き空間が設置され、前記第一回転軸が右方へ伸びて前記第三空き空間の中に入り、前記第三空き空間の中には前記第一スライド板を駆動してスライドさせることができる動力装置が前後対称となるように設置され、前記動力装置は前記第三空き空間の左内壁に回転可能に連結された第二回転軸を含み、前記第二回転軸と前記第一回転軸とが第一プーリにより伝動可能に連結され、前記第二回転軸には前記第一プーリの右側に位置する第一傘歯車が固定的に設置され、前記動力装置はまた前記第三空き空間の上下内壁に回転可能に連結された第三回転軸を含み、前記第三回転軸が前記第二回転軸の右側に位置しており、前記第三回転軸には前記第一傘歯車と噛み合った第二傘歯車が固定的に設置され、前記第三回転軸には前記第二傘歯車の上側に位置する第一歯車が固定的に設置され、前記第一歯車が前記第一スライド板の左側の歯付き面と噛み合っていることを特徴とする請求項１に記載の砂型鋳造の鋳型用仕事台。
【請求項４】
前記固定ブロックの左側内壁には第二モーターが固定的に設置され、前記第二モーターの右端面には第一モーター軸が回転可能に設置され、前記固定ブロックの中には前記第二空き空間の左側に位置する第四空き空間が設置され、前記固定ブロックの中には前記第二空き空間と前記第四空き空間との間の中間位置に位置する第五空き空間が設置され、前記第五空き空間が前記第二空き空間と連通しており、前記第一モーター軸が右方に前記第四空き空間を貫通しかつ前記第五空き空間の中に伸びており、前記第五空き空間の後壁にはラックがスライド可能に設置され、前記ラックの下端面と前記第五空き空間の底壁とが第四引っ張りばねにより連結され、前記ラックの右端面が前記第一スライダの左端面に固定的に連結され、前記ラックは上方にスライドすることにより前記第一スライダを上方にスライドさせることができ、前記第一モーター軸には前記第五空き空間の中に位置する第二歯車が固定的に設置され、前記第二歯車が前記ラックの前側の歯付き面と噛み合っており、前記固定ブロックの中には前記第五空き空間の上側に位置する第六空き空間が固定的に設置され、前記第六空き空間が前記第五空き空間と連通しており、前記第六空き空間の中には押圧ブロックがスライド可能に設置され、前記押圧ブロックの一部が前記第五空き空間の中に位置しており、前記押圧ブロックの上端面と前記第六空き空間の上内壁とが第二圧縮ばねにより連結され、前記ラックが上方にスライドして前記第五空き空間の上内壁と当接する時、前記押圧ブロックが押圧されて上方へ前記第六空き空間の中に滑り込むことを特徴とする請求項３に記載の砂型鋳造の鋳型用仕事台。
【請求項５】
前記穴あけ空間の左内壁には前記第二スライド板の上側に位置する第四回転軸が回転可能に設置され、前記第四回転軸が左方へ伸びて前記第四空き空間の中に入っており、前記第四回転軸には前記第四空き空間の中に位置する第三歯車が固定的に設置され、前記第四回転軸にはカムが固定的に設置され、前記カムは回転することにより前記第二スライド板を上下にスライドさせることができることを特徴とする請求項４に記載の砂型鋳造の鋳型用仕事台。
【請求項６】
前記固定ブロックの中には前記第四空き空間の左側に位置する第三スライド溝が固定的に形成され、前記第三スライド溝の中には第二スライダがスライド可能に設置され、前記第二スライダの下端面と前記第三スライド溝の下内壁とが第五引っ張りばねにより連結され、前記第二スライダの下端面と前記押圧ブロックの上端面とが第二引き紐により連結され、前記第二スライダの右端面には第五回転軸が回転可能に設置され、前記第五回転軸が右方に伸びて前記第四空き空間の中に入り、前記第五回転軸と前記第一モーター軸とが第二プーリにより伝動可能に連結され、前記第五回転軸には前記第二プーリの右側に位置する第四歯車が固定的に設置され、前記第二引き紐がゆるくなる時、前記第五引っ張りばねが復帰することにより前記第二スライダを上方にスライドさせ、前記第二プーリを張った状態にし、前記第四歯車を前記第三歯車と噛み合わせることを特徴とする請求項５に記載の砂型鋳造の鋳型用仕事台。
【発明の詳細な説明】
【技術分野】
【０００１】
本願発明は型技術分野に関わり、具体的には砂型鋳造の鋳型用仕事台である。
【背景技術】
【０００２】
砂型鋳造の鋳型は鋳物砂で半製品を鋳造するための型であり、製造過程には、型開きと型締め操作は数回行われる必要があり、仕事過程において複雑であり、また今、一般的に、人により型開き操作と型締め操作を行うので、効率が低くて鋳型の位置を覚える必要もあり、さらに鋳込みをした後に手動で鋳型を開くことは危険性があり、鋳造過程において、鋳物砂の浪費が深刻で、環境にも影響を与え、従い、上記の問題を解決するために、砂型鋳造の鋳型用仕事台が必要となり、上記の欠点に対して本願発明は改善を行う。
【先行技術文献】
【特許文献】
【０００３】
【特許文献１】中国特許出願公開第１０２１２５９９２号明細書
【発明の概要】
【発明が解決しようとする課題】
【０００４】
本願発明の解決しようとする技術問題は砂型鋳造の鋳型用仕事台を提供し、上記の問題を解決することである。
【課題を解決するための手段】
【０００５】
本願発明は以下の技術策により実現される。
【０００６】
本願発明は砂型鋳造の鋳型用仕事台であって、作動箱及び前記作動箱の中に設置された作動空間を含み、前記作動空間が左方に開口しており、前記作動箱の上端には下方に回転できる回転板がヒンジで連結され、前記回転板の中には左方に開口した第一空き空間が設置され、前記第一空き空間の中には台形引っ掛かりブロックがスライド可能に設置され、前記作動箱の中には前記第一空き空間と連通した引っ掛かり溝が形成され、前記台形引っ掛かりブロックは前記引っ掛かり溝の中に引っかかることができ、前記台形引っ掛かりブロックの右端面と前記第一空き空間の右内壁とが第一圧縮ばねにより連結され、前記作動空間の底壁には残った鋳物砂を集められる集め箱がスライド可能に設置され、前記集め箱の中には上方に開口した集め空間が設置され、前記作動空間の左側の上内壁には制御ブロックが固定的に設置され、前記作動箱の下側の左端面には前記作動空間の左側の開口を閉鎖できる閉鎖板がヒンジで連結され、前記閉鎖板の左端面にはハンドルが固定的に設置され、前記作動空間の底壁には前記回転板の回転を制御できる開け閉め装置が固定的に設置され、前記作動箱の左側の上端面には固定ブロックが固定的に設置され、前記固定ブロックの中には右方に開口した第二空き空間が設置され、前記第二空き空間の中には第一スライダがスライド可能に設置され、前記第一スライダが右方に前記固定ブロックの右側に伸びており、前記第一スライダの右端面にはスライダが固定的に設置され、前記スライダの中には右方に開口した第一スライド溝が形成され、前記第一スライド溝が前後対称となるように形成され、前記第一スライド溝の中には第一スライド板がスライド可能に設置され、前記第一スライド板の前端面には上砂箱を固定できる摩擦板が固定的に設置され、前記固定ブロックの頂部の右端面には穴あけ箱が固定的に設置され、前記穴あけ箱の中には下方に開口した穴あけ空間が設置され、前記穴あけ空間の中には第二スライド板がスライド可能に設置され、前記第二スライド板の上端面と前記穴あけ空間の上内壁とが第一引っ張りばねにより連結され、前記第二スライド板の下端面には砂型面に穴を開けられる穴あけロッドが固定的に設置され、前記穴あけロッドが十本設置され、十本の前記穴あけロッドが前記第二スライド板の対称中心を中心にして環状になる。
【０００７】
前記開け閉め装置は前記作動空間の底壁に固定的に連結された支持箱を含み、前記支持箱の中には上方に開口した支持空間が設置され、前記支持空間の中には支持板がスライド可能に設置され、前記支持板の下端面と前記支持空間の底壁とが第二引っ張りばねにより連結され、前記支持板が上方へ前記回転板の下端面と当接して前記回転板を止めるまでスライドでき、前記制御ブロックの中には左方に開口した位置制限空間が設置され、前記制御ブロックの中には前記位置制限空間の上側に位置する第二スライド溝が形成され、前記第二スライド溝が前記位置制限空間と連通しており、前記第二スライド溝の中には第一磁石がスライド可能に設置され、前記第一磁石の上端面と前記第二スライド溝の上内壁とが第三引っ張りばねにより連結され、前記第一磁石の上端面と前記支持板の左端面とが第一引き紐により連結され、前記閉鎖板の右端面には前記位置制限空間の中に引っかかれる第二磁石が固定的に設置され、前記第二磁石が前記位置制限空間の中に位置する時、前記第二磁石が前記第一磁石を下方にスライドするように吸引し、前記支持板が引き動かされて上方にスライドして前記回転板の下表面に当接する。
【０００８】
前記第一スライダの中には第一モーターが固定的に設置され、前記第一モーターの右端面には第一回転軸が回転可能に設置され、前記スライダの中には第三空き空間が設置され、前記第一回転軸が右方へ伸びて前記第三空き空間の中に入り、前記第三空き空間の中には前記第一スライド板を駆動してスライドさせることができる動力装置が前後対称となるように設置され、前記動力装置は前記第三空き空間の左内壁に回転可能に連結された第二回転軸を含み、前記第二回転軸と前記第一回転軸とが第一プーリにより伝動可能に連結され、前記第二回転軸には前記第一プーリの右側に位置する第一傘歯車が固定的に設置され、前記動力装置はまた前記第三空き空間の上下内壁に回転可能に連結された第三回転軸を含み、前記第三回転軸が前記第二回転軸の右側に位置しており、前記第三回転軸には前記第一傘歯車と噛み合った第二傘歯車が固定的に設置され、前記第三回転軸には前記第二傘歯車の上側に位置する第一歯車が固定的に設置され、前記第一歯車が前記第一スライド板の左側の歯付き面と噛み合っている。
【０００９】
前記固定ブロックの左側内壁には第二モーターが固定的に設置され、前記第二モーターの右端面には第一モーター軸が回転可能に設置され、前記固定ブロックの中には前記第二空き空間の左側に位置する第四空き空間が設置され、前記固定ブロックの中には前記第二空き空間と前記第四空き空間との間の中間位置に位置する第五空き空間が設置され、前記第五空き空間が前記第二空き空間と連通しており、前記第一モーター軸が右方に前記第四空き空間を貫通しかつ前記第五空き空間の中に伸びており、前記第五空き空間の後壁にはラックがスライド可能に設置され、前記ラックの下端面と前記第五空き空間の底壁とが第四引っ張りばねにより連結され、前記ラックの右端面が前記第一スライダの左端面に固定的に連結され、前記ラックは上方にスライドすることにより前記第一スライダを上方にスライドさせることができ、前記第一モーター軸には前記第五空き空間の中に位置する第二歯車が固定的に設置され、前記第二歯車が前記ラックの前側の歯付き面と噛み合っており、前記固定ブロックの中には前記第五空き空間の上側に位置する第六空き空間が固定的に設置され、前記第六空き空間が前記第五空き空間と連通しており、前記第六空き空間の中には押圧ブロックがスライド可能に設置され、前記押圧ブロックの一部が前記第五空き空間の中に位置しており、前記押圧ブロックの上端面と前記第六空き空間の上内壁とが第二圧縮ばねにより連結され、前記ラックが上方にスライドして前記第五空き空間の上内壁と当接する時、前記押圧ブロックが押圧されて上方へ前記第六空き空間の中に滑り込む。
【００１０】
前記穴あけ空間の左内壁には前記第二スライド板の上側に位置する第四回転軸が回転可能に設置され、前記第四回転軸が左方へ伸びて前記第四空き空間の中に入っており、前記第四回転軸には前記第四空き空間の中に位置する第三歯車が固定的に設置され、前記第四回転軸にはカムが固定的に設置され、前記カムは回転することにより前記第二スライド板を上下にスライドさせることができる。
【００１１】
前記固定ブロックの中には前記第四空き空間の左側に位置する第三スライド溝が固定的に形成され、前記第三スライド溝の中には第二スライダがスライド可能に設置され、前記第二スライダの下端面と前記第三スライド溝の下内壁とが第五引っ張りばねにより連結され、前記第二スライダの下端面と前記押圧ブロックの上端面とが第二引き紐により連結され、前記第二スライダの右端面には第五回転軸が回転可能に設置され、前記第五回転軸が右方に伸びて前記第四空き空間の中に入り、前記第五回転軸と前記第一モーター軸とが第二プーリにより伝動可能に連結され、前記第五回転軸には前記第二プーリの右側に位置する第四歯車が固定的に設置され、前記第二引き紐がゆるくなる時、前記第五引っ張りばねが復帰することにより前記第二スライダを上方にスライドさせ、前記第二プーリを張った状態にし、前記第四歯車を前記第三歯車と噛み合わせる。
【発明の効果】
【００１２】
本願発明の効果は：本願発明は砂型鋳造の鋳型用仕事台であって、本願発明の集め箱は回転板の上表面に落ちた鋳物砂を集めてリサイクルでき、本願発明の摩擦板は需要に応じて上砂箱と下砂箱を分離して鋳型を鋳造する過程における一部の操作を行い、本願発明の穴あけロッドは上砂箱に穴を自動的に開けられ、操作過程の安全性と効率を向上させ、作業員は半製品の製造を速く完成できる。
【図面の簡単な説明】
【００１３】
下記に図１〜７をあわせて本発明について詳しく説明し、便利に説明するために、下記の方向を以下のように規定する：図１は本発明装置の正面図であり、本願に記載の各方向が、図１と同じ向きに装置を見た際の方向である。
【００１４】
【図１】図１は本願発明の全体構成概略図
【図２】図２は図１のＡ―Ａ部の構成概略図
【図３】図３は図１のＢ部の構成概略図
【図４】図４は図１のＣ部の構成概略図
【図５】図５は図２のＤ部の構成概略図
【図６】図６は図１のＥ部の構成概略図
【図７】図７は図１における第二スライド板３２の底面構成概略図
【発明を実施するための形態】
【００１５】
附図１〜７に示しているように、本願発明は砂型鋳造の鋳型用仕事台であって、作動箱１０及び前記作動箱１０の中に設置された作動空間１１を含み、前記作動空間１１が左方に開口しており、前記作動箱１０の上端には下方に回転できる回転板１６がヒンジで連結され、前記回転板１６の中には左方に開口した第一空き空間７１が設置され、前記第一空き空間７１の中には台形引っ掛かりブロック６９がスライド可能に設置され、前記作動箱１０の中には前記第一空き空間７１と連通した引っ掛かり溝６８が形成され、前記台形引っ掛かりブロック６９は前記引っ掛かり溝６８の中に引っかかることができ、前記台形引っ掛かりブロック６９の右端面と前記第一空き空間７１の右内壁とが第一圧縮ばね７０により連結され、前記作動空間１１の底壁には残った鋳物砂を集められる集め箱４７がスライド可能に設置され、前記集め箱４７の中には上方に開口した集め空間４８が設置され、前記作動空間１１の左側の上内壁には制御ブロック７２が固定的に設置され、前記作動箱１０の下側の左端面には前記作動空間１１の左側の開口を閉鎖できる閉鎖板４６がヒンジで連結され、前記閉鎖板４６の左端面にはハンドル４５が固定的に設置され、前記作動空間１１の底壁には前記回転板１６の回転を制御できる開け閉め装置７６が固定的に設置され、前記作動箱１０の左側の上端面には固定ブロック４４が固定的に設置され、前記固定ブロック４４の中には右方に開口した第二空き空間２９が設置され、前記第二空き空間２９の中には第一スライダ２７がスライド可能に設置され、前記第一スライダ２７が右方に前記固定ブロック４４の右側に伸びており、前記第一スライダ２７の右端面にはスライダ２１が固定的に設置され、前記スライダ２１の中には右方に開口した第一スライド溝４９が形成され、前記第一スライド溝４９が前後対称となるように形成され、前記第一スライド溝４９の中には第一スライド板２３がスライド可能に設置され、前記第一スライド板２３の前端面には上砂箱を固定できる摩擦板２４が固定的に設置され、前記固定ブロック４４の頂部の右端面には穴あけ箱３６が固定的に設置され、前記穴あけ箱３６の中には下方に開口した穴あけ空間３５が設置され、前記穴あけ空間３５の中には第二スライド板３２がスライド可能に設置され、前記第二スライド板３２の上端面と前記穴あけ空間３５の上内壁とが第一引っ張りばね３４により連結され、前記第二スライド板３２の下端面には砂型面に穴を開けられる穴あけロッド３３が固定的に設置され、前記穴あけロッド３３が十本設置され、十本の前記穴あけロッド３３が前記第二スライド板３２の対称中心を中心にして環状になる。
【００１６】
有益なように、前記開け閉め装置７６は前記作動空間１１の底壁に固定的に連結された支持箱１２を含み、前記支持箱１２の中には上方に開口した支持空間１３が設置され、前記支持空間１３の中には支持板１４がスライド可能に設置され、前記支持板１４の下端面と前記支持空間１３の底壁とが第二引っ張りばね１５により連結され、前記支持板１４が上方へ前記回転板１６の下端面と当接して前記回転板１６を止めるまでスライドでき、前記制御ブロック７２の中には左方に開口した位置制限空間６１が設置され、前記制御ブロック７２の中には前記位置制限空間６１の上側に位置する第二スライド溝５９が形成され、前記第二スライド溝５９が前記位置制限空間６１と連通しており、前記第二スライド溝５９の中には第一磁石６０がスライド可能に設置され、前記第一磁石６０の上端面と前記第二スライド溝５９の上内壁とが第三引っ張りばね５８により連結され、前記第一磁石６０の上端面と前記支持板１４の左端面とが第一引き紐１７により連結され、前記閉鎖板４６の右端面には前記位置制限空間６１の中に引っかかれる第二磁石６２が固定的に設置され、前記第二磁石６２が前記位置制限空間６１の中に位置する時、前記第二磁石６２が前記第一磁石６０を下方にスライドするように吸引し、前記支持板１４が引き動かされて上方にスライドして前記回転板１６の下表面に当接する。
【００１７】
有益なように、前記第一スライダ２７の中には第一モーター２０が固定的に設置され、前記第一モーター２０の右端面には第一回転軸２５が回転可能に設置され、前記スライダ２１の中には第三空き空間２６が設置され、前記第一回転軸２５が右方へ伸びて前記第三空き空間２６の中に入り、前記第三空き空間２６の中には前記第一スライド板２３を駆動してスライドさせることができる動力装置７７が前後対称となるように設置され、前記動力装置７７は前記第三空き空間２６の左内壁に回転可能に連結された第二回転軸６３を含み、前記第二回転軸６３と前記第一回転軸２５とが第一プーリ２２により伝動可能に連結され、前記第二回転軸６３には前記第一プーリ２２の右側に位置する第一傘歯車６４が固定的に設置され、前記動力装置７７はまた前記第三空き空間２６の上下内壁に回転可能に連結された第三回転軸６７を含み、前記第三回転軸６７が前記第二回転軸６３の右側に位置しており、前記第三回転軸６７には前記第一傘歯車６４と噛み合った第二傘歯車６５が固定的に設置され、前記第三回転軸６７には前記第二傘歯車６５の上側に位置する第一歯車６６が固定的に設置され、前記第一歯車６６が前記第一スライド板２３の左側の歯付き面と噛み合っている。
【００１８】
有益なように、前記固定ブロック４４の左側内壁には第二モーター４１が固定的に設置され、前記第二モーター４１の右端面には第一モーター軸４０が回転可能に設置され、前記固定ブロック４４の中には前記第二空き空間２９の左側に位置する第四空き空間４３が設置され、前記固定ブロック４４の中には前記第二空き空間２９と前記第四空き空間４３との間の中間位置に位置する第五空き空間２８が設置され、前記第五空き空間２８が前記第二空き空間２９と連通しており、前記第一モーター軸４０が右方に前記第四空き空間４３を貫通しかつ前記第五空き空間２８の中に伸びており、前記第五空き空間２８の後壁にはラック１９がスライド可能に設置され、前記ラック１９の下端面と前記第五空き空間２８の底壁とが第四引っ張りばね１８により連結され、前記ラック１９の右端面が前記第一スライダ２７の左端面に固定的に連結され、前記ラック１９は上方にスライドすることにより前記第一スライダ２７を上方にスライドさせることができ、前記第一モーター軸４０には前記第五空き空間２８の中に位置する第二歯車３９が固定的に設置され、前記第二歯車３９が前記ラック１９の前側の歯付き面と噛み合っており、前記固定ブロック４４の中には前記第五空き空間２８の上側に位置する第六空き空間５５が固定的に設置され、前記第六空き空間５５が前記第五空き空間２８と連通しており、前記第六空き空間５５の中には押圧ブロック５７がスライド可能に設置され、前記押圧ブロック５７の一部が前記第五空き空間２８の中に位置しており、前記押圧ブロック５７の上端面と前記第六空き空間５５の上内壁とが第二圧縮ばね５６により連結され、前記ラック１９が上方にスライドして前記第五空き空間２８の上内壁と当接する時、前記押圧ブロック５７が押圧されて上方へ前記第六空き空間５５の中に滑り込む。
【００１９】
有益なように、前記穴あけ空間３５の左内壁には前記第二スライド板３２の上側に位置する第四回転軸３０が回転可能に設置され、前記第四回転軸３０が左方へ伸びて前記第四空き空間４３の中に入っており、前記第四回転軸３０には前記第四空き空間４３の中に位置する第三歯車３７が固定的に設置され、前記第四回転軸３０にはカム３１が固定的に設置され、前記カム３１は回転することにより前記第二スライド板３２を上下にスライドさせることができる。
【００２０】
有益なように、前記固定ブロック４４の中には前記第四空き空間４３の左側に位置する第三スライド溝３８が固定的に形成され、前記第三スライド溝３８の中には第二スライダ５２がスライド可能に設置され、前記第二スライダ５２の下端面と前記第三スライド溝３８の下内壁とが第五引っ張りばね５１により連結され、前記第二スライダ５２の下端面と前記押圧ブロック５７の上端面とが第二引き紐５０により連結され、前記第二スライダ５２の右端面には第五回転軸５３が回転可能に設置され、前記第五回転軸５３が右方に伸びて前記第四空き空間４３の中に入り、前記第五回転軸５３と前記第一モーター軸４０とが第二プーリ４２により伝動可能に連結され、前記第五回転軸５３には前記第二プーリ４２の右側に位置する第四歯車５４が固定的に設置され、前記第二引き紐５０がゆるくなる時、前記第五引っ張りばね５１が復帰することにより前記第二スライダ５２を上方にスライドさせ、前記第二プーリ４２を張った状態にし、前記第四歯車５４を前記第三歯車３７と噛み合わせる。
【００２１】
本願発明の機械動作の順序は以下の通りである。
【００２２】
本願発明は初期状態にある時、第二磁石６２が位置制限空間６１の中に位置し、第二磁石６２が第一磁石６０を吸引して下方へ第二スライド溝５９の底部までスライドさせ、第三引っ張りばね５８が引っ張られた状態にあり、第一引き紐１７が引っ張られた状態にあり、支持板１４が回転板１６の下端面と当接して回転板１６を止め、第二引っ張りばね１５が引っ張られた状態にあり、第四引っ張りばね１８が緩んだ状態にあり、第二空き空間２９が第五空き空間２８内部の底面に位置し、第二圧縮ばね５６が緩んだ状態にあり、第二引き紐５０が引っ張られた状態にあり、第五引っ張りばね５１が圧縮された状態にあり、第二スライダ５２が第三スライド溝３８内部の底部に位置し、第四歯車５４が第三歯車３７と噛み合っていなく、
１．砂型鋳造鋳型を利用して半製品を鍛造する時、利用される砂箱を回転板１６の上表面に置いて作業を行うことにより、作業過程に、落ちた鋳物砂を回転板１６の上表面に位置させ、
２．上砂箱と下砂箱を分離する時、第一モーター２０が始動されて第一回転軸２５を回転させ、第一回転軸２５と第二回転軸６３とが第一プーリ２２により伝動可能に連結されているため、第一回転軸２５が回転することにより第二回転軸６３を回転連動させ、第二回転軸６３が回転して第一傘歯車６４を回転連動させ、第一傘歯車６４が第二傘歯車６５と噛み合いっているため、第一傘歯車６４が回転することにより第二傘歯車６５を回転連動させ、第二傘歯車６５が回転して第三回転軸６７を回転連動させ、第三回転軸６７が回転して第一歯車６６を回転連動させ、第一歯車６６が回転することにより第一スライド板２３を互いに近づくようにスライドさせ、第一スライド板２３が互いに近づくようにスライドして摩擦板２４を互いに近づくようにスライドさせ、こうして上砂箱をきつく挟められ、
３．上砂箱がきつく挟められた後、第二モーター４１が始動されて回転して第一モーター軸４０を回転連動させ、第一モーター軸４０が回転して第二歯車３９を回転連動させ、第二歯車３９がラック１９の上側の歯付き面と噛み合っているため、第二歯車３９が回転することによりラック１９を上方にスライドさせ、ラック１９が上方にスライドして第一スライダ２７を上方にスライドさせ、第一スライダ２７が上方にスライドしてスライダ２１を上方にスライドさせ、スライダ２１が上方にスライドして挟められた上砂箱を上方にスライドさせ、
４．ラック１９が上方にスライドして第五空き空間２８の上内壁と当接する時、上砂箱が穴あけロッド３３の下側に位置し、ラック１９が押圧ブロック５７を押圧して上方へ第六空き空間５５の中に滑り込ませ、押圧ブロック５７が上方に第六空き空間５５の中に滑り込むことにより第二圧縮ばね５６が押圧され、第二引き紐５０が緩くなり、第二引き紐５０が緩くなることにより第五引っ張りばね５１を復帰させ、第五引っ張りばね５１が復帰することにより第二スライダ５２が上方にスライドし、第二スライダ５２が上方にスライドして第五回転軸５３を上方にスライドさせ、第五回転軸５３が上方にスライドすることにより第二プーリ４２が張った状態にあり、第二スライダ５２が上方にスライドして第三スライド溝３８の上内壁と当接する時、第四歯車５４が第三歯車３７と噛み合い、
５．第五回転軸５３と第一モーター軸４０とが第二プーリ４２により伝動可能に連結されているため、第一モーター軸４０が回転して第五回転軸５３を回転連動させ、第五回転軸５３が回転して第四歯車５４を回転連動させ、第四歯車５４が回転して第三歯車３７を回転連動させ、第三歯車３７が回転して第四回転軸３０を回転連動させ、第四回転軸３０が回転してカム３１を回転連動させ、カム３１が回転することにより第二スライド板３２が第一引っ張りばね３４の作用により引き続き上下にスライドし、第二スライド板３２が上下にスライドして穴あけロッド３３を上下にスライドさせ、上砂箱に穴を開け、
６．型締めをする時、第二モーター４１が始動されて逆方向に回転することによりスライダ２１が下方にスライドして挟められた上砂箱に対して初期位置に戻るまで型締めを行い、第一モーター２０が始動されて逆転することにより摩擦板２４が上砂箱を挟めることを停止し、作業員が次の操作を行うことに便利を与え、
７．部品に鋳込みを完成した後に部品を型から取り出す時、再び第一モーター２０を始動して正方向に回転させ、摩擦板２４により上砂箱がきつく挟められ、そして第二モーター４１を再び始動して正方向に回転させることにより上砂箱と下砂箱を分離し、
８．部品の鋳造を完成した後、上砂箱と下砂箱を回転板１６の上表面から外し、閉鎖板４６を反時計回りに回転させ、第二磁石６２がスライドして位置制限空間６１を出、作動空間１１の左側開口を開け、第二磁石６２が位置制限空間６１を滑り出る時、第二磁石６２が第一磁石６０を吸引しなくなり、第三引っ張りばね５８が復帰して第一磁石６０を上方にスライドさせ、第一磁石６０が上方にスライドすることにより第一引き紐１７を緩くし、第一引き紐１７が緩くなることにより第二引っ張りばね１５が復帰し、第二引っ張りばね１５が復帰することにより支持板１４が下方にスライドして支持空間１３に入り、支持板１４が回転板１６の下表面と当接しなくなり、回転板１６が反時計回りに集め箱４７の上側の口に位置するまで回転し、回転板１６の上表面に落ちた鋳物砂を集め空間４８の中に落とし、集めの動作を完成し、回転板１６の上表面にある鋳物砂が全部集められた後、左方へ集め箱４７を引き出し、集め空間４８の内部の鋳物砂をリサイクルし、
９．使用完了後、本願発明は初期状態に戻る。
【００２３】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本発明は砂型鋳造の鋳型用仕事台を開示した。
【解決手段】
作動箱及び前記作動箱の中に設置された作動空間を含み、前記作動空間が左方に開口しており、前記作動箱の上端には下方に回転できる回転板がヒンジで連結され、前記回転板の中には左方に開口した第一空き空間が設置され、前記第一空き空間の中には台形引っ掛かりブロックがスライド可能に設置され、本願発明は砂型鋳造の鋳型用仕事台であって、本願発明の集め箱は回転板の上表面に落ちた鋳物砂を集めてリサイクルでき、本願発明の摩擦板は需要に応じて上砂箱と下砂箱を分離して鋳型を鋳造する過程における一部の操作を行い、本願発明の穴あけロッドは上砂箱に穴を自動的に開けられ、操作過程の安全性と効率を向上させ、作業員は半製品の製造を速く完成できる。
【選択図】図１【図１】
0006784892.tif 000002
【図２】
0006784892.tif 000003
【図３】
0006784892.tif 000004
【図４】
0006784892.tif 000005
【図５】
0006784892.tif 000006
【図６】
0006784892.tif 000007
【図７】
0006784892.tif 000008